(57)【要約】      （修正有）【課題】  従来の電気機器や電子機器内部におけるリード線の接続端子への接続が確実であるとともに使用中にリード線に離脱方向の引っ張り力が作用したとしても接続個所が離脱する心配のないリード線の接続構造を提供する。【解決手段】基板１の接続端子２１，２２の接続位置２１１，２２１よりも内方に且つ前記接続端子２１，２２のほぼ中間位置に形成した透孔４に接続端子２１，２２が設置されていない面から先部を差し込むとともに差し込んだリード線３を基板１の接続端子２１，２２が設置されている面で分岐させて接続端子方向に折り返して先端に露出させた導線３１，３２を前記各接続端子２１，２２にそれぞれ接続させた構成とした。【選択図】図１
0003108631.tif 000002
【実用新案登録請求の範囲】
【請求項１】
互いに所定間隔で基板に対向して配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置よりも内方に且つ前記接続端子のほぼ中間位置に形成した透孔に接続端子が設置されていない面から先部を差し込むとともに差し込んだリード線を基板の接続端子が設置されている面で分岐させて接続端子方向に折り返して先端に露出させた導線を前記各接続端子にそれぞれ接続させたことを特徴とするリード線の接続構造。
【請求項２】
互いに所定間隔で前記基板の両側部に沿って対向配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置よりも内方に且つ前記接続端子のほぼ中間位置に並設させた一対の透孔に基板の接続端子が設置されていない面側から分岐させたリード線の分岐部を差し込むとともに差し込んだ分岐部を基板の接続端子が設置されている面側で接続端子方向にそれぞれ折り返して先端に露出させた導線を前記各接続端子にそれぞれ接続させたことを特徴とするリード線の接続構造。
【請求項３】
前記一対の透孔に差し込んだリード線を基板の接続端子が設置されている面側で接続端子方向に折り返して且つ交差させて異なる側の前記各接続端子に先端に露出させた導線をそれぞれ接続させたことを特徴とする請求項２記載のリード線の接続構造。
【請求項４】
前記一対の透孔に差し込んだリード線を基板の接続端子が設置されている面側で接続端子方向に折り返して且つ互いにタスキ掛を形成させて前記各接続端子に先端に露出させた導線をそれぞれ接続させたことを特徴とする請求項２記載のリード線の接続構造。
【請求項５】
互いに所定間隔で前記基板の両側部に沿って対向配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置の内方および外方に且つ前記接続端子のほぼ中間位置に形成した一対の透孔に接続端子が設置されている面から外方の透孔に先部を接続端子が設置されていない面に差し込むとともに内方の透孔に順に差し込んでそのリード線を接続端子方向に折り返して先端に露出させた導線を前記各接続端子にそれぞれ接続させたことを特徴とするリード線の接続構造。
【考案の詳細な説明】
【技術分野】
【０００１】
本考案は、例えば電気機器や電子機器において内部に配置される機器を備えた基板に電気を導入するために使用されるリード線の接続構造に関するものである。
【背景技術】
【０００２】
従来、一般に電気機器や電子機器ではコンセントやバッテリなどの電源から電気が供給されており、更に、機器内では図４に示すように導入された電気を電子部品或いは電気部品が具備された基板１に配置した接続端子２ａ，２ｂにリード線３ａ，３ｂを用いてハンダ４付けなどで接続している。
【０００３】
ところで、電気機器や電子機器が比較的堅いケースに包まれているものにあっては前記基板１のリード線３ａ，３ｂ接続箇所にハンダ４ａなどの機械的な結合強度以上の外力が加わることがないのであまり心配ないが、例えば夜間の工事現場などにおける事故防止などのために着用される発光ベストのように発光ダイオードを具備した複数の基板を柔軟な帯体に順次並設したような機器では、基板間を接続するリード線が柔軟な基材に沿って配置されることになり、使用中にリード線に引っ張り力が働くことになるが、この引っ張り力がリード線の接続方向と対向する方向に作用するので接続端子への接続が離脱し易く断線してしまう心配がある。
【考案の開示】
【考案が解決しようとする課題】
【０００４】
本考案が解決しようとする課題は、従来の電気機器や電子機器内部におけるリード線の接続端子への接続が確実で、使用中にリード線に離脱方向の引っ張り力が作用したとしてもリード線の接続部が離脱構造では、リード線に引っ張り力が加わったときに接続個所が離脱する心配のないリード線の接続構造を提供するものである。
【課題を解決するための手段】
【０００５】
前記課題を解決するため、第１の考案であるリード線の接続構造は、互いに所定間隔で基板に対向して配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置よりも内方に且つ前記接続端子のほぼ中間位置に形成した透孔に接続端子が設置されていない面から先部を差し込むとともに差し込んだリード線を基板の接続端子が設置されている面で分岐させて接続端子方向に折り返して先端に露出させた導線を前記各接続端子にそれぞれ接続させた構成とした。
【０００６】
また、第２の考案は、互いに所定間隔で前記基板の両側部に沿って対向配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置よりも内方に且つ前記接続端子のほぼ中間位置に並設させた一対の透孔に基板の接続端子が設置されていない面側から分岐させたリード線の分岐部を差し込むとともに差し込んだ分岐部を基板の接続端子が設置されている面側で接続端子方向にそれぞれ折り返して先端に露出させた導線を前記各接続端子にそれぞれ接続させた構成、更には前記一対の透孔に差し込んだリード線を基板の接続端子が設置されている面側で接続端子方向に折り返して且つ交差させて異なる側の前記各接続端子に先端に露出させた導線をそれぞれ接続させ、或いは前記一対の透孔に差し込んだリード線を基板の接続端子が設置されている面側で接続端子方向に折り返して且つ互いにタスキ掛を形成させて前記各接続端子に先端に露出させた導線をそれぞれ接続させた構成とした。
【０００７】
更に第３の考案は、互いに所定間隔で前記基板の両側部に沿って対向配置した一対の接続端子に、前記基板の外方から差し向けた少なくとも２本の導線が一体的に被覆されたリード線の先部を被覆した状態でそれぞれ分岐させるとともにそれらの先端を剥いで露出させた導線をそれぞれ接続したリード線の接続構造であって、前記基板の接続端子の接続位置の内方および外方に且つ前記接続端子のほぼ中間位置に形成した一対の透孔に接続端子が設置されている面から外方の透孔に先部を接続端子が設置されていない面に差し込むとともに内方の透孔に順に差し込んでそのリード線を接続端子方向に折り返して先端に露出させた導線を前記各接続端子にそれぞれ接続させた構成とした。
【考案の効果】
【０００８】
本考案によれば、使用中に加わるリード線への引っ張り力が、リード線の接続方向と同じ方向に作用するので断線する心配がない。
基板に透孔を形成するだけで特別な部品なども必要とせず、接続作業も容易である。
【考案を実施するための最良の形態】
【０００９】
次に、本考案を実施するための最良の形態について説明する。
【００１０】
図１は第１の考案の好ましい実施の形態を示すものであり、例えば発光ダイオード及びその起動回路などの電子機器を備えた（図示せず）基板１に互いに所定間隔で前記電子機器に接続して電源を供給するための接続端子２１,２２が対向して配置されており、基板１に設置された接続端子２１，２２の接続位置２１１，２２１よりも内方に且つ接続端子２１，２２のほぼ中間位置に透孔４が形成されている。
【００１１】
そして、基板１の外方から差し向けた２本の導線３１，３２を一体的に被覆したリード線３の先部を被覆した状態で基板１に形成されている透孔４に接続端子２１，２２が設置されていない面（以下「裏面１１という」）から表面１２画へ差し込むとともに差し込んだリード線３を基板１の接続端子２１，２２が設置されている面（以下「表面１２という」）の近傍で分岐させて各分岐部３１１，３２１を接続端子２１，２２方向に折り返して先端に露出させた導線３１，３２を各接続端子２１,２２の接続位置２１１，２２１にハンダ５で接続するものである。
【００１２】
本実施の形態では、導線３１，３２の各接続端子２１,２２の接続位置２１１，２２１に対する接続方向とリード線３の基板１に対する引き込み方向（差し込み方向）とが対向した方向になっており、リード線３に引き込み方向と反対方向の引っ張り力が作用したとしてもそれらの引っ張り力は、基板１の裏面１１における透孔４の外側方向の端縁４１１または基板１の表面１２における透孔４の内側方向の端縁４１２において規制されることになり、各接続端子２１,２２の接続位置２１１，２２１に接続されている導線３１，３２に及ぶことがなく、接続が解除（断線）する心配がない。
【００１３】
また、本実施の形態は、基板１付いての加工も所定位置に１つの透孔４を形成するだけできわめて簡単であり、また、接続操作もリード線３を透孔４に基板１の裏面１１側から表面１２へと差し込むだけでありきわめて簡易である。
【００１４】
図２（ａ）は第２考案の好ましい実施の形態を示すものであり、全体の構成は前記図１に示した第１考案の実施の形態とほぼ同様な接続構造であるが、前記図１に示した第１考案の実施の形態基板１に１つの透孔４を形成したのに対して、基板１の各接続端子２１,２２の接続位置２１１，２２１よりも内方に且つ接続端子２１,２２のほぼ中間位置に並設させた一対の透孔４１，４２が形成されている点が異なる。
【００１５】
そして、本実施の形態では、基板１の外方から差し向けた２本の導線３１，３２を一体的に被覆したリード線３の先部を被覆した状態で基板１の裏面１１における透孔４１，４２の近傍で予めリード線３を分岐させ、各分岐部３１１，３２１を透孔４１，４２にそれぞれ表面１２へと差し込むとともに差し込んだ各分岐部３１１，３２１を表面１２において接続端子２１，２２方向に折り返して先端に露出させた導線３１，３２を各接続端子２１,２２の接続位置２１１，２２１にハンダ４で接続するものである。
【００１６】
このような構成を有する本実施の形態は、前記図１に示した実施の形態と同様にリード線３の各分岐部３１１，３２１が、それぞれ透孔４１，４２において前記第１の実施の形態の場合と同様に接続方向と差し込み方向が異なるので引っ張り力に対して対向するので導線３１，３２の接続部分が外れて断線する心配はなく、特に本実施の形態では、リード線３に加わる引っ張り力を分岐させた分岐部３１１，３２１において規制することになり引っ張り力が分散されるので更に大きな規制力を発揮させることができる。
【００１７】
図２（ｂ）は第２考案の異なる実施の形態を示すものであり、基本的な構成は前記図２（ａ）に示した実施の形態とほぼ同様であるが、透孔４１，４２から引き出して基体１の表面１２に差し出した分岐部３１１，３２１を各接続端子２１,２２の接続位置２１１，２２１に折り返して且つ分岐部３１１，３２１を交差させて異なる側の各接続端子２２，２１に先端を露出させた導線３１，３２を接続させた点が異なる。
【００１８】
本実施の形態では、接続方向と差し込み方向が異なることとでリード線３に加わる引っ張り力を分岐させた分岐部３１１，３２１において規制するだけでなく、分岐部３１１，３２１における接続方向が引っ張り方向と角度を有して対向するので更に引っ張り力に対抗することができる。
【００１９】
更に、図２（ｃ）は第２考案の更に異なる実施の形態を示すものであり、透孔４１，４２から引き出して基体１の表面１２に差し出した分岐部３１１，３２１を各接続端子２１,２２の接続位置２１１，２２１に折り返して且つタスキ掛けを介して各接続端子に先端に露出させた導線を交差させてそれぞれ接続させた点が異なる
【００２０】
本実施の形態は、分岐部３１１，３２１をタスキ掛け状態としたので、更に引っ張り力に対抗することができる。
【００２１】
図３は第３の考案における好ましい実施の形態を示すものであり、基板１の外方から差し向けたリード線３の先部を被覆した状態で基板１に形成した透孔４に裏面１１から表面１２側へ差し込むとともに差し込んだリード線３を基板１の表面１２の近傍で分岐させて各分岐部３１１，３２１を接続端子２１，２２方向に折り返して先端に露出させた導線３１，３２を各接続端子２１,２２の接続位置２１１，２２１にハンダ４で接続する点については、前記図１に示した第１の考案の実施の形態とほぼ同様であるが、リード線３の先部を基板１に形成した透孔４に差し込む前に、前記透孔４の内側方向に形成したもう１つの透孔４３に基板１の表面１２から一旦、差し込んでから透孔４に基板１の裏面１１側から差し込むものである。
【００２２】
従って、本実施の形態では、板１の裏面１１における透孔４の外側方向の端縁４１１または基板１の表面１２における透孔４の内側方向の端縁４１２と外側方向の端縁４１１だけでなく、透孔４３の外側方向の端縁４３２および内側方向の端縁４３１においても規制されるので確実に引っ張り力を阻止して断線を防ぐことができるものである。
【図面の簡単な説明】
【００２３】
【図１】第１考案の好ましい実施の形態を示すものであり、（ａ）は一部を切截した斜視図、（ｂ）は図１のＡ−Ａ線に沿う拡大断面図。
【図２】（ａ）は第２考案の好ましい実施の形態を示す一部を切截した平面図、（ｂ）は第２考案の異なる実施の形態を示す一部を切截した平面図、（ｃ）は第２考案の更に異なる実施の形態を示す一部を切截した平面図。
【図３】第３考案の好ましい実施の形態を示すものであり、（ａ）は一部を切截した斜視図、（ｂ）は図１のＢ−Ｂ線に沿う拡大断面図。
【図４】従来例を示すものであり、（ａ）は一部を切截した斜視図、（ｂ）は図１のＣ−Ｃ線に沿う拡大断面図。
【符号の説明】
【００２４】
１  基体、  ３  リード線、  ４  透孔、  ２１，２２  接続端子、  ３１，３２  導線、  ４１，４２，４３  透孔、  ２１１，２２１  接続位置
【図１】
0003108631.tif 000003
【図２】
0003108631.tif 000004
【図３】
0003108631.tif 000005
【図４】
0003108631.tif 000006